(57)【要約】【課題】ロータリーノブの消費電力の低減と電波ノイズや静電気ノイズによるロータリーノブのＩＣの誤動作を復帰させること。【解決手段】加熱手段１と、主制御回路２と、入力手段７と、マイクロコンピュータ３と、表示手段４と、電源回路５と、電力開閉手段６とを備え、マイクロコンピュータ３から入力手段７からのデータを取り込まない期間はマイクロコンピュータ３から電力開閉手段６をＯＦＦ動作させることにより、ロータリーノブの消費電力の低減と電波ノイズや静電気ノイズによる、ロータリーノブのＩＣの誤動作時には、ＩＣリセット動作によりＩＣの動作を復帰させるころができる。【選択図】図１
2013124779.tif 000002
【特許請求の範囲】
【請求項１】
被加熱物を収容する加熱室と、前記加熱室に設けられた開閉ドアと、前記加熱室内の被加熱物を加熱する加熱手段と、前記加熱手段を制御する主制御回路と、調理設定等を行うための入力手段と、前記入力手段からデータを取り込むマイクロコンピュータと、調理設定等を表示するための表示手段と、前記入力手段へ電力を供給する電源回路と、前記電源回路と前記入力手段との間に設けられ前記入力手段への電力供給をＯＮ／ＯＦＦ動作制御する電力開閉手段とを備え、前記マイクロコンピュータが前記入力手段からのデータを取り込まない期間は前記マイクロコンピュータから前記電力開閉手段をＯＦＦ動作するとする加熱調理器。
【発明の詳細な説明】
【技術分野】
【０００１】
本発明は、マイクロコンピュータを用いた加熱調理器に関するものである。
【背景技術】
【０００２】
マイクロコンピュータを備えた制御回路で制御される高周波加熱装置に使用される入力手段として、操作ノブの回転位置によって位置情報のデータを出力するロータリーノブが知られている。
【０００３】
この種のロータリーノブの使用方法としては、回転位置によって設定するメニューを割り当てられており、例えば、９分割された回転位置を割り当てられ、「０」の位置にしているときには、ＯＦＦ状態、「１」の位置にしているときにはユーザーの各設定状態、「２」の位置に設定しているときにはレンジ設定状態、「３」の位置ではオーブン設定状態といった具合に、「８」の位置まで割り当てられるのである。
【０００４】
そうすることでキーによる設定よりも設定しやすく、キーの数を減らすことができるので、煩雑さをなくし、すっきりとしたデザインにでき、ユーザーもレンジなどのメニュー設定はロータリーノブ、ワット数や時間の設定はキー（または別のロータリエンコーダ）と操作方法が分かり易くなる。
【０００５】
この種のロータリースイッチ装置は、ロータリーノブに連動して回動する可動接点が摺接する印刷抵抗体の各々を共通の回路基板上に印刷形成したものなどがある（例えば、特許文献１参照）。
【先行技術文献】
【特許文献】
【０００６】
【特許文献１】特開平１１−２７３５０５号公報
【発明の概要】
【発明が解決しようとする課題】
【０００７】
しかしながら、前記従来の構成では、ロータリーノブの信号処理はＩＣを使用しているために、常時電源を供給する必要があり、消費電力を多く消費してしまうという課題を有していた。また、電波ノイズや静電気ノイズにより、ロータリーノブのＩＣが誤動作するという課題を有していた。
【０００８】
本発明は、前記従来の課題を解決するもので、調理設定のデータを取り込まない期間には、ロータリーノブの電源をＯＦＦして、その分、消費電力（ワット数）を低減し、さらに電源ＯＦＦによりロータリーノブのＩＣがリセットされて、ＩＣの動作を復帰する構成とすることにより、消費電力の低減と、静電気ノイズによるロータリーノブのＩＣの誤動作を復帰させることが可能な調理設定の入力手段を有した加熱調理器を提供することを目的とする。
【課題を解決するための手段】
【０００９】
前記従来の課題を解決するために、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、調理設定等を行うための入力手段と、前記入力手段からデータを取り込むマイクロコンピュータと、調理設定等を表示するための表示手段と、前記入力手段へ電力を供給する電源回路と、前記電源回路と前記入力手段との間に
設けられ前記入力手段への電力供給をＯＮ／ＯＦＦ動作制御する電力開閉手段とを備え、前記マイクロコンピュータが前記入力手段からのデータを取り込まない期間は前記マイクロコンピュータから前記電力開閉手段をＯＦＦ動作するとしたものである。
【００１０】
これによって、データを取り込まない期間の分だけワット数を低減し、さらに電源ＯＦＦによりロータリーノブのＩＣがリセットされるのでＩＣが誤動作してもＩＣの動作を復帰することができる。
【発明の効果】
【００１１】
本発明の加熱調理器は、消費電力を多く消費すること、静電気ノイズによりロータリーノブのＩＣが誤動作するといった課題に対し、データを取り込まない期間にロータリーノブの電源をＯＦＦすることでその分ワット数を低減し、さらに電源ＯＦＦによりロータリーノブのＩＣがリセットされるので動作を復帰することができ、使い勝手をよくすることができる。
【図面の簡単な説明】
【００１２】
【図１】本発明の実施の形態１における加熱調理器の制御ブロック図
【図２】本発明の同実施の形態における加熱調理器のフローチャート
【発明を実施するための形態】
【００１３】
第１の発明は前記従来の課題を解決するために、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、調理設定等を行うための入力手段と、前記入力手段からデータを取り込むマイクロコンピュータと、調理設定等を表示するための表示手段と、前記入力手段へ電力を供給する電源回路と、前記電源回路と前記入力手段との間に設けられ前記入力手段への電力供給をＯＮ／ＯＦＦ動作制御する電力開閉手段とを備え、前記マイクロコンピュータが前記入力手段からのデータを取り込まない期間は前記マイクロコンピュータから前記電力開閉手段をＯＦＦ動作するとしたものである。
【００１４】
これによって、データを取り込まない期間の分だけワット数を低減し、さらに電源ＯＦＦによりロータリーノブのＩＣがリセットされるのでＩＣの動作を復帰することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における加熱調理器の制御ブロック図を示すものである。
【００１７】
図１において、マイクロコンピュータ３は、主制御回路２を用いて加熱手段１を制御する。また、マイクロコンピュータ３は、表示手段４に調理情報や設定情報等を表示する構成になっている。そして、入力手段７は、ロータリーノブとこのロータリーノブの信号処理をするＩＣを備えている。マイクロコンピュータ３は、電力開閉手段６を制御することにより、電源回路５から入力手段７に供給される電源が、ＯＮ／ＯＦＦされる構成になっている。
【００１８】
以上のように構成された加熱調理器について、以下にその動作、作用を説明する。
【００１９】
まず、マイクロコンピュータ３は電力開閉手段６を制御し、入力手段７の電源をＯＮす
る。２０ｍｓの間で、入力手段７のＩＣに、ＨＩＧＨおよびＬＯＷのＣＬＯＣＫ信号を与えることにより、現在の位置情報のデータ９ビットを取り込める。
【００２０】
ＣＬＯＣＫ信号の立ち上がりエッジで、データが１ビットずつ変化するので、その立下りの直前にデータを取り込む。２１ビットの全データの内、必要な位置情報のデータ９ビットを取り込み、そのデータから「０」の位置から「８」の位置を決定する。位置情報のデータ９ビットを取り込んだ後、すぐにマイクロコンピュータ３は、電力開閉手段６を制御し、入力手段７の電源をＯＦＦにする。
【００２１】
１００ｍｓ後、再びマイクロコンピュータ３は電力開閉手段６を制御し、入力手段７の電源をＯＮにして、その動作を繰り返す。
【００２２】
以上のように、本実施の形態において、データを取り込まない期間には、入力手段７の電源をＯＦＦすることで、その分消費電力量（ワット数）を低減できる。そして、電源をＯＦＦすることにより、入力手段７のＩＣがリセットされるので、このＩＣの動作を正常に復帰することができる。
【００２３】
図２は、本発明の第１の実施の形態の加熱調理器のフローチャートである。
【００２４】
図２において、マイクロコンピュータ３はステップＳ１にて、入力手段７のロータリーノブの電源をＯＮする信号を送信する。次に、ステップＳ２では、電源の立ち上がりが安定するのを待つ（約７ｍｓ程度）。そしてステップＳ３では、マイクロコンピュータ３からロータリーノブの信号処理用ＩＣのＣＬＯＣＫ端子にＨＩの信号を送信する。
【００２５】
ステップＳ４にて、ＣＬＯＣＫ端子にＬｏｗを送信し、２０μｓｅｃ待った後に、ＣＬＯＣＫ端子にＨＩＧＨを送信する。これにより、信号処理用ＩＣが送信するデータを１ビットずらす。全２１ビットのうち、最後の９ビットだけが必要な位置情報であり、残り１２ビットは必要ないデータであるので、ステップＳ５にて１２回繰り返したかどうか判断し、もし１２回繰り返していないならステップＳ４に戻る。もし１２回繰り返していたなら、次のデータから必要なデータであるので、ステップＳ６に進む。
【００２６】
ステップＳ６では、ロータリーノブの信号処理用ＩＣより送られてくる１ビットのデータを読み込み、格納する。ステップＳ７で９回繰り返したかどうか判断し、９回繰り返していないならステップＳ８に移行する。９回繰り返したならステップＳ９に進む。
【００２７】
ステップＳ８ではＣＬＯＣＫ端子にＬｏｗを送信し、２０μｓｅｃ待った後にＣＬＯＣＫ端子にＨＩＧＨを送信する。これにより、信号処理用ＩＣが送信するデータを、１ビットずらす。そして、ステップＳ６に戻る。
【００２８】
ステップＳ９では、取り込んだ９ビットのデータから位置情報に変換する。例えば、９０というデータであったなら、「０」の位置つまりＯＦＦ状態であると認識する。ステップＳ１０にて、マイクロコンピュータ３は、入力手段７のロータリーノブの電源をＯＦＦする信号を送信する。そして、ステップＳ１１で１００ｍｓ待つ。その後、ステップＳ１から、動作を繰り返す。
【００２９】
以上のように、本実施の形態においては、被加熱物を収容する加熱室と、前記加熱室に設けられた開閉ドアと、前記加熱室内の被加熱物を加熱する加熱手段１と、前記加熱手段１を制御する主制御回路２と、調理設定等を行うための入力手段７と、入力手段７からデータを取り込むマイクロコンピュータ３と、調理設定等を表示するための表示手段４と、入力手段７へ電力を供給する電源回路５と、電源回路５と入力手段７との間に設けられ入
力手段７への電力供給をＯＮ／ＯＦＦ動作制御する電力開閉手段６とを備え、マイクロコンピュータ３が入力手段７からのデータを取り込まない期間は、マイクロコンピュータ３から電力開閉手段６をＯＦＦ動作するとしたものである。
【００３０】
これによって、データを取り込まない期間の分だけ消費電力量を低減し、さらに電源ＯＦＦにより入力手段７の信号処理用ＩＣがリセットされるので、信号処理用ＩＣが誤動作しても、正常動作へ復帰することができる。
【産業上の利用可能性】
【００３１】
以上のように、本発明の加熱調理器は、データを取り込まない期間に入力手段であるロータリーノブの電源をＯＦＦすることで、その分消費電力量を低減し、さらに電源ＯＦＦにより、ロータリーノブの信号処理用ＩＣがリセットされるので、ノイズによる誤動作を復帰することが可能となるため、容易に加熱調理器のみならず他の家電機器への用途にも適用できる。
【符号の説明】
【００３２】
１  加熱手段
２  主制御回路
３  マイクロコンピュータ
４  表示手段
５  電源回路
６  電力開閉手段
７  入力手段
【図１】
2013124779.tif 000003
【図２】
2013124779.tif 000004